(57)【特許請求の範囲】
【請求項１】
レッグウォーマーにおいて、
前記レッグウォーマーの一側に縦方向に設けられた締結部と；
前記レッグウォーマーの縦方向両端部の間に少なくとも一つ以上設けられる横方向にストリングが挿設されたストリング部と；
前記レッグウォーマーの縦方向両端部の間に設けられた取っ手部と；を含み、
前記取っ手部の末端が前記ストリング部に挿設されたストリングと連動するように連結されていることを特徴とするバッグ兼用レッグウォーマー。
【請求項２】
前記レッグウォーマーの縦方向端部を延長した延長部をさらに含むことを特徴とする請求項１に記載のバッグ兼用レッグウォーマー。
【請求項３】
前記延長部は、当該延長部と前記縦方向端部の境界部分に防水用カバーを備えることを特徴とする請求項２に記載のバッグ兼用レッグウォーマー。
【発明の詳細な説明】
【技術分野】
【０００１】
本発明は、バッグ兼用レッグウォーマーに関する。
【背景技術】
【０００２】
従来使用される雨具には図１に示すように、コートタイプの雨具１と、上衣及び下衣が分離している分離型雨具の二種類がある。また、非特許文献１には、レッグウォーマー２の筒構造両端部に内蔵ゴムひも３を挿入する形態の簡単な構造のレッグウォーマーが提案されている。
【先行技術文献】
【非特許文献】
【０００３】
【非特許文献１】韓国実用新案登録第２０−０３４２５８８号公報
【発明の概要】
【発明が解決しようとする課題】
【０００４】
しかし、コートタイプの雨具１は下衣を有していないため、降雨量が比較的多い場合、膝下部が濡れるなどの問題点があり、分離型の雨具は防水面においては比較的優れるが、着用が容易ではないという問題点がある。
【０００５】
また、降雨時に雨具を着て日常的な作業などを行う場合、コート型雨具は下衣が濡れて活動性に劣るという問題点がある。上衣と下衣が分離した分離型雨具の場合、活動性は優れるが、間歇的な降雨の場合、下衣の着用又は脱衣が面倒であることが問題点として指摘されてきた。また、コートタイプの雨具及び上下衣分離型雨具の両方とも、保管性及び携帯性が不十分であるため、これに対する改善を必要とするのが実情であった。
【０００６】
さらに、非特許文献１に記載のレッグウォーマーも、縦方向に足を入れたり抜いたりして着用しなければならないため、靴を履いている場合、着脱が面倒であるという問題点があった。
【０００７】
そこで、本発明は、前述した従来技術の諸問題点を鑑みてなされたものであり、本発明の目的とするところは、脚をカバーして保護することができ、保管及び携帯手段としても使用可能な新規かつ改良されたバッグ兼用レッグウォーマーを提供することである。
【０００８】
また、本発明の他の目的とするところは、防水布地を適用することでコート型雨具が持っている膝下部の防水上の欠点を補完、防水性を改善し、かつレッグウォーマーの着脱を容易にすることで、活動性を改善した新規かつ改良されたバッグ兼用レッグウォーマーを提供することである。
【課題を解決するための手段】
【０００９】
上記課題を解決するために、本発明のある観点によれば、レッグウォーマーにおいて、前記レッグウォーマーの一側に縦方向に設けられた締結部と；前記レッグウォーマーの縦方向両端部の間に設けられる横方向にストリング（ｓｔｒｉｎｇ）が挿設されたストリング部と；前記レッグウォーマーの縦方向両端部の間に設けられた取っ手部と；を含むバッグ兼用レッグウォーマーが提供される。
【００１０】
前記取っ手部の末端が、前記ストリング部に挿設されたストリングと連動するように連結されていてもよい。
【００１１】
前記レッグウォーマーは、前記レッグウォーマーの縦方向端部を延長した延長部をさらに含んでいてもよい。
【００１２】
前記延長部は、当該延長部と前記縦方向端部の境界部分に防水用カバーを備えていてもよい。
【発明の効果】
【００１３】
以上説明したように本発明によれば、脚をカバーして保護することができ、保管及び携帯手段としても使用可能であり、防水布地を適用することでコート型雨具が持っている膝下部の防水上の欠点を補完、防水性を改善し、かつレッグウォーマーの着脱を容易にすることで活動性を改善することが可能である。
【図面の簡単な説明】
【００１４】
【図１】従来技術によるコート型雨具とレッグウォーマーの構成図である。
【図２】本発明の一実施形態に係るバッグ兼用レッグウォーマーの構成図である。
【図３】本発明の他の実施形態に係るバッグ兼用レッグウォーマーの構成図である。
【図４】図３のバッグ兼用レッグウォーマーにおけるストリング部の他の構成を示す構成図である。
【図５】図４のバッグ兼用レッグウォーマーを具現した例を示す写真である。
【図６】図５のバッグ兼用レッグウォーマーを保管手段として使用した例を示す写真である。
【図７】本発明に係るバッグ兼用レッグウォーマーを保管手段として使用した他の例を示す写真である。
【図８】本発明に係るバッグ兼用レッグウォーマーの取っ手部とストリング部の連動関係を説明するための部分拡大透視図である。
【図９】図５のバッグ兼用レッグウォーマーの着用状態を示す写真である。
【図１０】図８のバッグ兼用レッグウォーマーの着用状態を示す写真である。
【発明を実施するための形態】
【００１５】
以下、添付した図面を参照して本発明の好適な実施形態について詳細に説明する。なお、本明細書及び図面において、実質的に同一の機能構成を有する構成要素については、同一の符号を付することにより重複説明を省略する。また、本明細書及び図面において縦方向とは、バッグ兼用レッグウォーマーを装着した際に足が挿入される方向であり、太もも側を上側とし、足首側を下側とした。
【００１６】
図２は本発明の一実施形態に係るバッグ兼用レッグウォーマーの構成図である。図２に示すように、本発明の一実施形態に係るバッグ兼用レッグウォーマーは、レッグウォーマーの一側に縦方向に設けられる締結部１０と；レッグウォーマーの上段部に隣接して設けられ、横方向にストリングｓｔが挿設されたストリング部３０と；を含む。
【００１７】
ストリング部３０にはストリングｓｔを固定するためのストッパー３１を装着してもよく、バッグ兼用レッグウォーマーの縦方向両端部の間、ほぼ中央に取っ手部ｈをさらに含んでもよい。また、バッグ兼用レッグウォーマーの縦方向端部を延長した延長部ｅ１、ｅ２をさらに備えることによって、太ももや履物までカバーできるようにしてもよい。
【００１８】
一方、締結部１０としてはジッパー、スナップ、ベルクロファスナーなどの多様な部材を適用することができる。特に上方からも下方からも締結可能なジッパー（両刃ジッパー）を使用することができる。締結部１０を多様な形態で具現できることは当業者に取っては自明な事項であるため、当該形態についての詳細な説明は省略することにする。
【００１９】
図３は本発明の他の実施形態に係るバッグ兼用レッグウォーマーの構成図である。図３に示すように、本発明の他の実施形態に係るバッグ兼用レッグウォーマーは、レッグウォーマーの一側に縦方向に設けられる締結部１０と；レッグウォーマーの縦方向両端部の間に、特に上段部及び下段部に隣接して設けられ、横方向にストリングｓｔが挿設される二つのストリング部３０、３０’；を含んでなる。すなわち、本発明の他の実施形態に係るバッグ兼用レッグウォーマーは、二つ以上のストリング部を備えていてもよい。
【００２０】
図４は本発明に係るバッグ兼用レッグウォーマーのストリング部３０、３０’の他の一例を示す構成図である。図４に示すように、本発明に係るバッグ兼用レッグウォーマーのストリング部３０、３０’はバッグ兼用レッグウォーマーの縦方向両端部の間、特に上段部及び下段部に隣接して設けられ、横方向にストリングｓｔが挿設される。この時、一例として図３のように、ストリング部３０、３０’に挿設されたストリングｓｔの両端を外部に露出させて締める構造が可能である。また、他の一例として図４のように挿設されたストリングｓｔの両端をレッグウォーマーに固定し、挿設されたストリングｓｔの両端間の一部、好ましくは中央部を外部に露出させて締める構造も可能である。
【００２１】
図５は図４のバッグ兼用レッグウォーマーを具現した写真である。図５に示すように、本発明に係るバッグ兼用レッグウォーマーは、山登りやスポーツ活動の際に、脚に着用することができる。さらに、レッグウォーマーの縦方向端部に形成されたストリングｓｔを締めてバッグ形態にでき、内部に登山服や雨具などの物品を入れることができるので、保管及び携帯手段として使用が可能である。
【００２２】
本発明のバッグ兼用レッグウォーマーは、全体を、上部の太もも着用部（延長部；ｅ２）、中間部のふくらはぎ着用部、下部の足着用部（延長部；ｅ１）に区分される。また、レッグウォーマーの外面には把持用の取っ手部ｈが設けられ、取っ手部ｈの両側には取っ手孔ｈ１、ｈ２が形成されている。したがって、レッグウォーマーとして使用する時は取っ手部ｈを取っ手孔ｈ１、ｈ２に挿入し、バッグとして使用する時は取っ手部ｈを取っ手孔ｈ１、ｈ２から外部に突出させて使用することができる。
【００２３】
図６は図５のバッグ兼用レッグウォーマーを保管手段として使用する場合の一例を示す写真であり、図７は本発明に係る他のバッグ兼用レッグウォーマーを保管手段として使用する例を示した写真である。図６と図７に示すように、本発明に係るバッグ兼用レッグウォーマーは雨具またはその他の物品を畳んで入れることができる。雨具またはその他の物品を内部に入れて締結部１０を締結し、その後、ストッパー３１を利用して、ストリング部３０、３０’に横方向に挿設されたストリングｓｔを締めることによって、携帯及び保管手段として使用することが可能である。ストリング部３０、３０’は普段、バッグ兼用レッグウォーマーを脚に、より密着させて着用するための手段としても使用することができる。
【００２４】
本発明のある実施形態に係るバッグ兼用レッグウォーマーは、バッグに変形した際に、ストリングｓｔが外部に露出することによって、ストリングｓｔが他の事物にひっかかるなどの、問題が発生する恐れがある。上記に対し、取っ手部ｈの末端をストリング部３０、３０’に挿設されたストリングｓｔと連動するように連結して、取っ手部ｈを引っ張ると、それに連結されたストリング部３０、３０’のストリングｓｔが引っ張られて入り、ストリングｓｔが外部に露出しないようにしてもよい。
【００２５】
図８は本発明のさらに他の実施形態に係るバッグ兼用レッグウォーマーの取っ手部ｈとストリングｓｔの連動関係を説明するための部分拡大透視図である。図８に示すように、本発明の一実施形態に係るバッグ兼用レッグウォーマーは、取っ手部ｈにおいて、その一端が取っ手孔ｈ１、ｈ２を通じて挿設される。
【００２６】
レッグウォーマー着用時に、ストリングｓｔ＿１、ｓｔ＿２の張力が大きくなると、それに連結された取っ手部ｈの一端が取っ手孔ｈ１、ｈ２に引っ張られる。反対にバッグ変形時は、取っ手部ｈを引っ張って取っ手部の一端を取っ手孔ｈ１、ｈ２から抜き出すと、それに連結されたストリング部のストリングｓｔ＿１、ｓｔ＿２が引っ張られてストリングｓｔが外部に露出しないようになる。また、取っ手部ｈの末端をリング（Ｒｉｎｇ）によりストリングｓｔと連結することによって、互いに連動できるようにしてもよい。
【００２７】
一方、ストリングｓｔを固定するストッパー３１、３１’は、ストリングｓｔ＿１又はｓｔ＿２とリングとの連結前もしくは連結後の位置のうち、いずれかに装着できる。さらに、取っ手部ｈにも所定のストッパーを装着してもよい。図８にはストリングｓｔを固定するストッパー３１、３１’が、ストリングｓｔ＿２とリングの連結後の位置に装着された例が示されている。
【００２８】
また、上段部を延長した延長部ｅ２において、その延長部ｅ２との境界部分に防水用カバーｃを設けてもよい。降雨時、境界部分を防水用カバーｃで覆うことによって、雨水が境界部分を通じて流れ込むことを防止することができる。
【００２９】
図９は図５のバッグ兼用レッグウォーマーの着用状態を示す写真であり、図１０は図８のバッグ兼用レッグウォーマーの着用状態を示す写真である。図１０に示すように、本発明に係るバッグ兼用レッグウォーマーは、バッグ兼用レッグウォーマーの上段部を延長した延長部ｅ２をさらに備える。また、太もも着用部（延長部；ｅ２）とふくらはぎ着用部の境界部分に防水用カバーｃをさらに備える。これによって、レッグウォーマーとして太ももまで着用した際に、防水用カバーｃがレッグウォーマーの太もも着用部とふくらはぎ着用部の境界部分を覆うことができる。したがって、雨水が境界部分を通じて流れ込むことを防止できる。
【００３０】
また、バッグ兼用レッグウォーマーに防水布地を使用してもよい。係る場合、本発明は、雨具の下衣ないし履物カバーの役割をすることができるので、ズボンが濡れず快適な環境で作業ができる。
【００３１】
さらに、レッグウォーマーの縦方向両端部に、ストリング部３０、３０’とは別の横方向に引き締める引き締め部を少なくとも一つ以上、備えてもよい。
【００３２】
引き締め部は多様な部材及び形態で具現できる。一例として、ストリング部３０、３０’のように、ストリングを挿設して引き締めることができるようにしてもよいし、輪ゴムのような弾性部材とその弾性部材の両端にスナップなどの締結手段を設けて構成してもよい。
【産業上の利用可能性】
【００３３】
本発明は、防水布地を使用することによりズボンが濡れず快適な環境で作業するための、雨具の下衣ないし履物カバーとして適用可能であり、また、防水用バッグとして雨具を折り畳んで保管できるので、携帯及び保管手段としても適用可能である。
【００３４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３５】
１０          締結部
３０、３０’  ストリング部
３１、３１’  ストッパー
ｈ１、ｈ２    取っ手孔
ｅ１、ｅ２    延長部
ｈ            取っ手部
ｓｔ、ｓｔ＿１、ｓｔ＿２  ストリング
ｃ            防水用カバー
【図１】
0005459733.tif 000002
【図２】
0005459733.tif 000003
【図３】
0005459733.tif 000004
【図４】
0005459733.tif 000005
【図５】
0005459733.tif 000006
【図６】
0005459733.tif 000007
【図７】
0005459733.tif 000008
【図８】
0005459733.tif 000009
【図９】
0005459733.tif 000010
【図１０】
0005459733.tif 000011